(57)【要約】【課題】モールドモータの軸受けが電食されないような発明を提供する。【解決手段】固定子鉄心１２にコイル１６を巻回した固定子２２を高誘電率のモールド樹脂によって覆いハウジング２６を形成したモールドモータ１０であって、金属製のブラケット３８とハウジング２６を貫通して固定子鉄心１２にまで至るネジ状のアース端子４０を取り付けて、固定子鉄心１２やブラケット３８から電流を外部に流し、軸受け３０，３２の電食を防止するものである。【選択図】        図１
2004229429.tif 000002
【特許請求の範囲】
【請求項１】
固定子鉄心にコイルを巻回した固定子をモールド樹脂によって覆いハウジングを形成したモールドモータにおいて、
前記ハウジングの内部の収納空間に回転子を一対の軸受けによって回転自在に保持し、
前記一対の軸受けのうち少なくとも一つの軸受けを、前記ハウジングに固定される金属製のブラケットで固定し、
前記ブラケットと前記ハウジングを貫通して前記固定子鉄心にまで至るアース端子を取り付ける
ことを特徴とするモールドモータ。
【請求項２】
前記モールド樹脂が、不飽和ポリエステルである
ことを特徴とする請求項１記載のモールドモータ。
【請求項３】
前記アース端子が、金属製のネジである
ことを特徴とする請求項１または２記載のモールドモータ。
【請求項４】
前記モールドモータが、ＰＷＭ制御を行うブラシレスＤＣモータである
ことを特徴とする請求項１から３のうち少なくとも一項に記載のモールドモータ。
【発明の詳細な説明】
【０００１】
【発明の属する技術分野】
本発明は、モールドモータに関するものである。
【０００２】
【従来の技術】
従来より、固定子鉄心にコイルを巻回した鉄心をモールド樹脂によってモールド成型してハウジングを形成し、この内部に軸受けを介して回転子を内蔵するモールドモータがある（特許文献１）。
【０００３】
【特許文献１】
特開２００２−３３５６４９
【０００４】
【発明が解決しようとする課題】
上記のモールドモータは、絶縁物であるモールド樹脂で覆われているため、アースについては余り考慮する必要はない。ところが、高電圧、かつ、ＰＷＭ制御を行っているモールドモータでは、モータの構造に起因する静電容量成分の分布やＰＷＭ制御による電圧変化（ｄｖ／ｄｔ）によって、軸受けが電食に至る可能性がある。
【０００５】
例えば、図２に示すように、モールド樹脂に高誘電率の不飽和ポリエステルを使用しているもので、高電圧でかつＰＷＭ制御をしているモールドモータ１００においては、上記の理由によって発生した電流が、図２の点線の矢印に示すように、固定子鉄心１０２、固定子巻線１０４、軸受け１０６、回転軸１０８、回転子１１０を通過して再び固定子鉄心１０２に循環する。このような場合に軸受け１０６が電食に至ることになる。
【０００６】
そこで、本発明は上記問題点に鑑み、モールドモータの軸受けが電食されないような発明を提供するものである。
【０００７】
【課題を解決するための手段】
請求項１の発明は、固定子鉄心にコイルを巻回した固定子をモールド樹脂によって覆いハウジングを形成したモールドモータにおいて、前記ハウジングの内部の収納空間に回転子を一対の軸受けによって回転自在に保持し、前記一対の軸受けのうち少なくとも一つの軸受けを、前記ハウジングに固定される金属製のブラケットで固定し、前記ブラケットと前記ハウジングを貫通して前記固定子鉄心にまで至るアース端子を取り付けることを特徴とするモールドモータである。
【０００８】
請求項２の発明は、前記モールド樹脂が、不飽和ポリエステルである
ことを特徴とする請求項１記載のモールドモータである。
【０００９】
請求項３の発明は、前記アース端子が、金属製のネジであることを特徴とする請求項１または２記載のモールドモータである。
【００１０】
請求項４の発明は、前記モールドモータが、ＰＷＭ制御を行うブラシレスＤＣモータであることを特徴とする請求項１から３のうち少なくとも一項に記載のモールドモータである。
【００１１】
【作  用】
請求項１のモールドモータであると、固定子鉄心及び金属製のブラケットにアース端子が取り付けられているため、静電容量成分の分布やＰＷＭ制御によるｄｖ／ｄｔによる電流が、アース端子を通じて外に流れるため、軸受けが電食されることがない。
【００１２】
また、モールド樹脂が高誘電率である不飽和ポリエステルであっても、軸受けの電食を防止することができる。
【００１３】
さらに、アース端子が金属製のネジであるため、ハウジングに簡単に取り付けることができる。
【００１４】
【発明の実施の形態】
以下、本発明の一実施形態を図１に基づいて説明する。
【００１５】
図１は、本実施形態のモールドモータ１０の縦断面図である。
【００１６】
モールドモータ１０は、鋼板を積層した円筒状の固定子鉄心１２にプレモールドを施して絶縁層を兼ねたプレモールド部１４を形成し、このプレモールド部１４に固定子巻線１６を巻回する。
【００１７】
この固定子鉄心１２の一方の部分（図１においては上部に当たる部分）にモールドモータ１０の駆動回路が内蔵された配線基板１８を取り付ける。この場合には、プレモールド部１４に載置して固定する。
【００１８】
この配線基板１８からは外部に信号を送るためのコネクタ２０が取り付けられている。
【００１９】
上記のようにして固定子鉄心１２に固定子巻線１６を巻回した固定子２２と、配線基板１８とコネクタ２０と、別体の金属製のブラケット２４を金型に収納し、モールド樹脂によって一体にモールド成型してハウジング２６を形成する。この場合にモールド樹脂としては、例えば、高誘電率の不飽和ポリエステルを用いる。ここで、誘電率とは、物質固有の比誘電率と真空中の誘電率の積で決まるため、高誘電率を比誘電率で表現すると３以上であり、不飽和ポリエステルは約５．３〜７．５である。
【００２０】
上記のようにして形成したハウジング２６の円筒状の収納空間２８に軸受け３０，３２を回転軸３４の上部と下部に取り付けた回転子３６を収納する。この場合に軸受け３０が、ブラケット２４に固定されるようにする。
【００２１】
回転子３６を収納空間２８に収納した後、もう一方の金属製の皿状のブラケット３８をハウジング２６の下部に係合させて固定する。
【００２２】
そして、金属製のブラケット３８の周縁部から、ハウジング２６を貫通させて固定子鉄心１２までネジ状のアース端子４０を螺合させる。この場合に、ハウジング２６には予めネジ状のアース端子４０が螺合できる程度の貫通孔をモールド成型する際に形成すると共に、その位置に対応した固定子鉄心１２にはネジ孔４２を形成しておく。
【００２３】
このアース端子４０とブラケット３８との間には、外部に接続するようにするためのアースコード４４が取り付けられている。
【００２４】
なお、このアース端子４０と配線基板１８におけるグランド（接地電位）とは、電気的に全く接続されない状態にする。
【００２５】
上記構成のモールドモータ１０において、配線基板１８に設けられている駆動回路でＰＷＭ制御を行って回転させても、ＰＷＭ制御によるｄｖ／ｄｔや、モータ構造による静電容量成分の分布によって発生する電流は固定子鉄心１２を介してアース端子４０からアースコード４４が接続されている外部に流れることになる。また、この場合に金属製ブラケット３８にもアース端子４０が電気的に接続されているため、ブラケット３８からの電流もアース端子４０を介して外部に流れることになる。そのため、従来のように軸受け３０や軸受け３２が電流による電食を受けることがない。
【００２６】
（変更例１）
上記実施形態ではモールドモータ１０としてブラシレスＤＣモータを用いて説明したが、これ以外に他のモータであってもよい。
【００２７】
（変更例２）
上記実施形態では配線基板１４を内蔵したモールドモータ１０で説明したが、これに代えて配線基板１８がハウジング２６の外部に設けられ、ハウジング２６には内蔵されていないタイプのモータであっても上記実施形態と同様の効果を得ることができる。
【００２８】
【発明の効果】
以上により本発明のモールドモータであると、アース端子を介して電流が外部に流れるため、軸受けが電食されることがない。
【図面の簡単な説明】
【図１】本発明の一実施形態を示すモールドモータの縦断面図である。
【図２】従来のモールドモータの縦断面図である。
【符号の説明】
１０  モールドモータ
１２  固定子鉄心
１４  プレモールド部
１６  固定子巻線
１８  配線基板
２０  コネクタ
２２  固定子
２４  ブラケット
２６  ハウジング
２８  収納空間
３０  軸受け
３２  軸受け
３４  回転軸
３６  回転子
３８  ブラケット
４０  アース端子
【図１】
2004229429.tif 000003
【図２】
2004229429.tif 000004